(57)【要約】【課題】クッション性が良好であり、敷いたり寝たときに軋む音がせず、長期間使用してもヘタリが生ずることはなく、かつ様々な寸法に形成できる敷きマットを提供する。【解決手段】本発明の敷きマット（１）は、表地（２）と、裏地（３）と、前記表地と裏地をつなぐ連結糸（４ａ，４ｂ）を含む２重パイル編地で構成される敷きマットあって、前記２重パイル編地マットの周囲はカット面（１１）であり、縁に段差はなく、前記カット面は前記２重パイル編地シートの繊維端面を突出させないための縁布（５）で覆われ、ステッチ縫い（６）されている。前記縁布は織物表面に人工皮革を一体化した布又は織物表面に樹脂をコーティングしたラミネート布であるのが好ましい。【選択図】図２
2017023608.tif 000002
【特許請求の範囲】
【請求項１】
表地と、裏地と、前記表地と裏地をつなぐ連結糸を含む２重パイル編地で構成される敷きマットあって、
前記２重パイル編地シートの周囲はカット面であり、縁に段差はなく、
前記カット面は前記２重パイル編地シートの繊維端面を突出させないための縁布で覆われ、ステッチ縫いされていることを特徴とする敷きマット。
【請求項２】
前記縁布は、織物表面に人工皮革を一体化した布である請求項１に記載の敷きマット。
【請求項３】
前記縁布は、織物表面に樹脂をコーティングしたラミネート布である請求項１に記載の敷きマット。
【請求項４】
前記ステッチ縫いは、総合送りミシンにより直線縫いされたステッチ縫いである請求項１〜３のいずれかに記載の敷きマット。
【請求項５】
前記２重パイル編地は、ラッシェル経編地である請求項１〜４のいずれかに記載の敷きマット。
【請求項６】
前記２重パイル編地の表地と裏地及び連結糸はポリエステルモノフィラメント延伸糸である請求項１〜５のいずれかに記載の敷きマット。
【請求項７】
前記２重パイル編地の表地と裏地は、メッシュ編みされている請求項１〜６のいずれかに記載の敷きマット。
【請求項８】
前記敷きマットの厚さは５〜２５ｍｍである請求項１〜７のいずれかに記載の敷きマット。
【発明の詳細な説明】
【技術分野】
【０００１】
本発明は、ベッドや敷き布団の上に敷いて使用したり、座布団や椅子シートに好適な敷きマットに関する。
【背景技術】
【０００２】
従来からベッドや敷き布団の上に敷いて使用する敷きマットは様々なものが提案されている。例えば特許文献１にはポリエチレンを溶融し、多数本のストランドを所定幅のコンベアに押し出すと同時にストランドの流れを乱し、ストランド同士を融着させたものが提案されている。特許文献２〜３には、２重パイル編地の端部をプレス成形し、押しつぶすことが提案されている。本出願人も、この２重パイル編地の周囲端部をプレス成形し、押しつぶした敷きマットは、商品名“クールマットキュービック”として販売している。
【先行技術文献】
【特許文献】
【０００３】
【特許文献１】ＷＯ２０１２／０３５７３６号公報
【特許文献２】特開２０１５−０６１９５８号公報
【特許文献３】特開２００４−１１５９３９号公報
【発明の概要】
【発明が解決しようとする課題】
【０００４】
しかし、前記特許文献１の敷きマットは、ヘタリが生ずるという基本的問題がある。これは、ポリエチレンにはもともと腰がないうえ、押し出したポリマーストランドが延伸されておらず、構造が安定しないことに起因すると思われる。特許文献２〜３の敷きマットは延伸した糸を使用するので前記のような問題はないが、周囲端部をプレス成形するため、成形金型が必要であり、様々な寸法の敷きマットを形成しにくく、縁に段差ができてしまう問題があった。
【０００５】
本発明は、クッション性が良好であり、長期間使用してもヘタリが生ずることはなく、様々な寸法に形成でき、縁の段差のない敷きマットを提供する。
【課題を解決するための手段】
【０００６】
本発明の敷きマットは、表地と、裏地と、前記表地と裏地をつなぐ連結糸を含む２重パイル編地で構成される敷きマットあって、前記２重パイル編地マットの周囲はカット面であり、縁に段差はなく、前記カット面は前記２重パイル編地シートの繊維端面を突出させないための縁布で覆われ、ステッチ縫いされていることを特徴とする。
【発明の効果】
【０００７】
本発明の敷きマットは、表地と、裏地と、前記表地と裏地をつなぐ連結糸を含む２重パイル編地で構成され、前記２重パイル編地マットの周囲はカット面であり、縁に段差はなく、前記カット面は前記２重パイル編地シートの繊維端面を突出させないための縁布で覆われ、ステッチ縫いされていることにより、クッション性は良好であり、敷いたり寝たときに軋む音がせず、長期間使用してもヘタリが生ずることはなく、かつ様々な寸法の敷きマットを形成できる。すなわち、２重パイル編地は構造が強固であり、クッション性も良く、軋む音がせず、長期間使用してもヘタリが生ずることはない。また、２重パイル編地マットの周囲はカット面であるから、様々な寸法の敷きマットを形成できうえ、縁の段差もないので平面を広く有効に使え、引っかかったり転倒することも防げる。また、カット面は縁布で覆われ、ステッチ縫いされていることにより、２重パイル編地の端面の保護機能が高い。加えて本発明の敷きマットは製造コストが安いという利点がある。
【図面の簡単な説明】
【０００８】
【図１】図１は本発明の一実施例の敷きマットの模式的斜視図である。
【図２】図２は同、敷きマットの端部の拡大断面図である。
【図３】図３は同、敷きマットの端部を覆う縁布の断面図である。
【図４】図４は同、敷きマットの端部を縫うミシン縫いの説明図である。
【発明を実施するための形態】
【０００９】
本発明の敷きマットは、表地と、裏地と、前記表地と裏地をつなぐ連結糸を含む２重パイル編地で構成される。ここで２重とは表地と裏地があることをいう。パイルとは表地と裏地をつなぐ連結糸と同義である。連結糸による２重パイル編地であると、連結糸（パイル）の部分がクッション作用を発揮し、敷いたり寝たときに軋む音がせず、長期間使用してもヘタリが生ずることはない。また、連結糸（パイル）の部分は通気性が良く、人体の汗の拡散に好適である。
【００１０】
本発明の２重パイル編地シートの周囲はカット面である。カット面はカッターで切断することにより形成される。カット面とすることにより、様々なサイズの敷きマットを形成できる。また、縁の段差もないので全体がほぼ同一厚みの平面であり、平面全体を広く有効に使え、引っかかったり転倒することも防げる。また、カット面はそのままでは前記２重パイル編地シートの繊維端面が突出し、他の物体や人体を傷つけてしまう恐れがあるが、縁布（ふちぬの）で覆われ、ステッチ縫いされていることにより、端面の保護を強固にできる。
【００１１】
前記縁布は、織物表面に人工皮革を一体化した布であるのが好ましい。人工皮革は例えばクラレ社製商品名“クラリーノ”、東レ社製商品名“エクセーヌ”等を使用できる。織物表面に人工皮革を一体化した布であると、硬い２重パイル編地の端面繊維をカバーでき、繊維が突出したり穴が開くこともなく、保護機能が高くなる。
【００１２】
前記縁布は、織物表面に樹脂をコーティングしたラミネート布であっても良い。これにより、硬い２重パイル編地の端面繊維をカバーでき、繊維が突出したり穴が開くこともなく、保護機能が高くなる。他の縁布としてはテント地なども使用できる。
【００１３】
前記ステッチ縫いは、総合送りミシンにより直線縫いされたステッチ縫いであるのが好ましい。ここで総合送りミシンとは、上・下の押さえと針が生地に刺さった状態で、縫い目ピッチの分まで進み、このとき上の抑えと下の押さえも同時に生地送りをするミシンである。
【００１４】
前記２重パイル編地は、ラッシェル経編地であるのが好ましい。とくにダブルラッシェル経編地が好ましい。この編み地はダブルラッシェル経編機により製造できる。
【００１５】
前記２重パイル編地の表地と裏地及び連結糸はポリエステル製モノフィラメント延伸糸であるのが好ましい。ポリエステル製モノフィラメント延伸糸は腰があり、ヘタルこともなく、長期間の使用に耐えられる。前記ポリエステルはポリエチレンテレフタレートが好ましい。ポリエステル製モノフィラメント延伸糸の繊度は３３３〜２２００decitex（３００〜２０００デニール）が好ましく、さらに好ましくは５５０〜１６５０decitex（５００〜１５００デニール）である。前記の範囲であるとクッション性が良く、剛性もあり、寝心地も良い。
【００１６】
前記２重パイル編地の表地と裏地は、メッシュ編みされているのが好ましい。メッシュ編みされていると、連結糸（パイル）の部分の通気性と相俟って通気性が良く、人体の汗の拡散に好適である。
【００１７】
本発明の敷きマットの厚さは５〜２５ｍｍが好ましく、さらに好ましくは１０〜２０ｍｍである。前記の範囲であればクッション性及び通気性が好適である。加えて、使用しないときは丸めて縛って保管でき、収納空間は少なくて済む。
【００１８】
本発明の敷きマットはカットすることにより、ベッドや敷き布団のスモールシングル（８０ｃｍ前後）、セミシングル（９０ｃｍ前後）、シングル（９５〜１００ｃｍ）、セミダブル（１２０ｃｍ前後）、ダブル（１４０ｃｍ前後）、ワイドダブル（１５０ｃｍ前後）、クィーン（１６０〜１７０ｃｍ前後）、キング（１８０ｃｍ前後）等任意のサイズに形成できる。また、座布団、椅子シート、航空機や車両などの座席シート等、様々なサイズに形成できる。カットはいかなるカッターを使用してもよい。本発明の敷きマットはプレス金型を使わず、カットにより任意のサイズに形成できるので、製造コストも安いという利点がある。使用に際しては、シーツの下に敷いたり、側地で覆っても良いし、一般的に使用されている３〜１０ｍｍ程度の薄いベッドマット、例えば側地内に不織布が充填されているベッドマットの下に敷いても良い。
【００１９】
以下図面を用いて説明する。以下の図面において、同一符号は同一物を示す。図１は本発明の一実施例の敷きマットの模式的斜視図である。この敷きマット１は表地２の周囲はカット面であり、縁布５で覆われ、ステッチ縫い６により縁が保護されている。４つの角は直角でもよいし、丸みをつけても良い。
【００２０】
図２は敷きマット１の端部の拡大断面図である。敷きマット１は、表地２と裏地３と、表地２と裏地３をつなぐ連結糸４ａ，４ｂを含む２重パイル編地であり、周囲端部はカット面１１である。このカット面１１は２重パイル編地シートの繊維端面を突出させないための縁布５で覆われ、ステッチ縫い６がされている。縁布５が無いと、カット面１１は表地２と裏地３と連結糸４ａ，４ｂの繊維のカット部が露出ないしは突出してしまう。縁布５は図２に示すように端を中に折り込んで縫製されているのが好ましい。このようにすると上品に仕上がる。また、縁の段差もないので平面を広く有効に使え、引っかかったり転倒することも防げる。
【００２１】
図３は敷きマット１の端部を覆う縁布５の一例断面図である。縁布５は一例として織物７の表面に人工皮革８を一体的に貼り合わせている。人工皮革８は一例として極細繊維のシートにポリウレタンを含浸させたものが好ましい。このような人工皮革は風合いが柔らかいことから好ましい。織物７と人工皮革８の一体的貼り合わせは、接着シートを用いたラミネーションでもよいし、ポリウレタンが溶解する溶剤を塗布したラミネーションでもよいし、人工皮革を製造する際に織物表面に人工皮革を一体的に製造する方法など、いかなる方法で製造したものでも良い。
【００２２】
図４は敷きマット1の端部１１の縁布５を縫うミシン縫いの説明図である。ステッチ縫い６は上糸９と下糸１０が絡み合って形成される。図１は本縫いの直線縫いである。本縫いには直線縫い、ジグザグ縫い、千鳥縫い等があり、いかなる縫い方でもよいが、直線縫いがもっとも好ましい。敷きマット１の厚みはかなり厚いので、総合送りミシンを使用し、直線縫いするのが好ましい。
【実施例】
【００２３】
以下、実施例を用いて本発明をさらに具体的に説明する。なお、本発明は下記の実施例に限定されるものではない。
【００２４】
（実施例１）
＜２重パイル編地＞
表地と裏地及び連結糸はポリエチレンテレフタレート製モノフィラメント延伸糸（繊度：１１００decitex（１０００デニール））を使用し、ダブルラッシェル経編機により２重パイル編地を製造した。この２重パイル編地の厚みは約１２ｍｍであり、表地と裏地はタテ約２０ｍｍ、ヨコ約１２ｍｍの菱形のメッシュ穴が開いたネットであり、前記メッシュ穴は表地と裏地で互いに位置をずらせて形成させた。この２重パイル編地は幅２.１ｃｍ、長さ１５ｍの長尺シートとして編成した。本来数１０ｍ〜数１００ｍの長さで編成できるが、重量が重くなるため、１５ｍでカットした。この２重パイル編地は、本出願人が販売している商品名“クールマットキュービック”の編地と編地自体は同一である。
＜縁縫い＞
前記２重パイル編地の長尺シートをカッターにより、幅９５ｍｍ、長さ２００ｍｍにカットした。このカット品の端面に、織物表面にポリウレタンを含む人工皮革を縁布として覆い、図２に示すように、総合送りミシンにより直線縫いでステッチ縫いした。得られた敷きマットの重量は１３００ｇ／枚であった。
＜使用試験＞
得られた敷きマットをベッドの上に敷き、その上にシーツを被せて、試験者が睡眠を取った。この試験を１年間続けた。その結果、クッション性は良好であり、剛性もあることから身体の一部が沈み込む現象もなく、睡眠時の姿勢が楽に取れ、深い睡眠が取れた。また、敷いたり寝たときに軋む音がせず、ヘタリはまったく見られず、寸法変化もなかった。
【００２５】
（実施例２）
２重パイル編地の厚みを約２０ｍｍとした以外は、実施例１と同様に敷きマットを製造した。得られた敷きマットの重量は１８００ｇ／枚であった。このマットも１年間続けた結果、クッション性は良好であり、剛性もあることから身体の一部が沈み込む現象もなく、睡眠時の姿勢が楽に取れ、深い睡眠が取れた。また、敷いたり寝たときに軋む音がせず、ヘタリはまったく見られず、寸法変化もなかった。
【産業上の利用可能性】
【００２６】
本発明の敷きマットは、ベッドや敷き布団の敷きマット、座布団、椅子シート、航空機や車両などの座席シート、リビングルームの敷きマット、玄関マット、風呂マット、キャンプなどで敷くマット、災害時に避難者が使用する敷きマット等様々な用途に好適である。
【符号の説明】
【００２７】
１  敷きマット
２  表地
３  裏地
４ａ，４ｂ  連結糸
５  縁布
６  ステッチ縫い
７  織物
８  人工皮革
９  上糸
１０  下糸
１１  カット面
【図１】
2017023608.tif 000003
【図２】
2017023608.tif 000004
【図３】
2017023608.tif 000005
【図４】
2017023608.tif 000006